(57)【要約】 【課題】  適宜な長さの棒状本体部１の先端に半円状の棒体の取り抑え部２を左右横方向に突出させて設けた刺股形状の制圧具において、軽量で且つ緊急時にも間違いなく正確に握持して使い易い刺股タイプの制圧具を提供する。【解決手段】  棒状本体部１を、マグネシウム合金製とし、その断面を縦方向が長く横方向が短い楕円断面形状として、縦長状態で自然に握持するので、緊急時において無意識に正確な器具の握持がなされる。また棒状本体部１の延長位置となる取り抑え部２の内周側に、突起部３１にゴム製キャップ３２を被覆した打突用突起部３を設け、器具による制圧に際して、打突用突起部３で打突することで、被制圧者の抵抗力を弱め、また被制圧者が器具から逃れようとして身体を捻った場合に、被制圧者の衣服がゴム製キャップに絡んで、被制圧者が器具による制圧から逃れるのを阻止する。【選択図】  図３
0003115168.tif 000002
【実用新案登録請求の範囲】
【請求項１】
適宜な長さの棒状本体部の先端に半円状の棒体の取り抑え部を左右横方向に突出させて設けた刺股形状の制圧具において、棒状本体部を、金属製パイプで、且つ縦方向が長く横方向が短い楕円断面形状としてなることを特徴とする制圧具。
【請求項２】
棒状本体部の延長位置となる取り抑え部の内周側に、打突用突起部を設けてなる請求項１記載の制圧具。
【請求項３】
打突用突起部が、突起部にゴム製キャップを被覆した構造である請求項２記載の制圧具。
【請求項４】
棒状本体部の先部を除く範囲に、滑り止め塗装を施してなる請求項１乃至３記載の何れかの制圧具。
【請求項５】
棒状本体部の基端内に、適宜長さの捕縛用紐を取り出し可能に収納してなる請求項１乃至４記載の何れかの制圧具。
【請求項６】
棒状本体部及び取り抑え部をマグネシウム合金で形成してなる請求項１乃至５記載の何れかの制圧具。
【考案の詳細な説明】
【技術分野】
【０００１】
本考案は、不審者や犯罪者の身体を制圧するための刺股形状の制圧具に関するものである。
【背景技術】
【０００２】
不審者や犯罪者の身体を制圧（取り抑え）するための器具として、使用者が握持する棒状本体部の先端に半円状に曲げてなる棒状の取り抑え部を設けた刺股形状の制圧具が提案され、現に使用されている。
【０００３】
例えば特許文献１（特開２００３−１５６２９９号公報）及び特許文献２（特開２００４−１１９４８号公報）には、中空金属管（特許文献１はステンレスパイプが例示されている。市販品としてアルミパイプのものが存在する）で、棒状本体と取り抑え部を形成している。
【０００４】
また前記の特許文献１，２の制圧具は、棒状本体部の基端に取手部を横方向に突設して、制圧時の持ち手として使用するようになっており、特許文献１には、先部に先鋭な突起部を設けて被制圧者による器具の把持を防止することが、特許文献２には、器具全体の表面に滑り止め処理を行っている器具が開示されている。
【０００５】
【特許文献１】特開２００３−１５６２９９号公報。
【特許文献２】特開２００４−１１９４８号公報。
【考案の開示】
【考案が解決しようとする課題】
【０００６】
ところで器具を使用するためには、取り抑え部を水平状態となるように握持する必要があるが、従前の制圧具の把持箇所となる棒状本体部は、円形断面の金属パイプであり、直ぐに正確な握持ができず、取り抑え部の位置を視認しながら正確な器具保持を行うものである。しかしこのような器具の使用が必要な場合は、緊急状態であり且つ精神的プレッシャーを受ける状態であるので、慌ててしまうと、正確な器具使用が出来なくなってしまう。
【０００７】
また棒状本体部が円形断面のパイプであると、握持箇所に滑り止めを施したとしても、被制圧者の身体の捻れや、取り抑え部の一端を跳ね上げるだけで容易に器具が回転し、器具の強い握持が解除されてしまう虞がある。
【０００８】
前記の特許文献１，２には、棒状本体部の基端に取手部を設け、使用者が横に張り出した取手部を握持することで、棒状本体部の捻れに関する問題を解決しているが、握持箇所が特定していると緊急時対応が難いし、また先部が重くなって器具操作性に問題が生ずる。
【０００９】
そこで本考案は、緊急時の使用操作がスムーズにでき、また棒状本体に加わる捻れ力に対しても充分に対応できる新規な制圧具を提案したものである。
【課題を解決するための手段】
【００１０】
本考案に係る制圧具（請求項１）は、適宜な長さの棒状本体部の先端に半円状の棒体の取り抑え部を左右横方向に突出させて設けた刺股形状の制圧具において、棒状本体部を、金属製パイプで、且つ縦方向が長く横方向が短い楕円断面形状としてなることを特徴とするものである。
【００１１】
而して使用に際して棒状本体部を縦長状態で自然に握持するので、緊急時において、無意識に正確な器具の握持がなされる。
【００１２】
また本考案に係る制圧具（請求項２，３）は、棒状本体部の延長位置となる取り抑え部の内周側に、打突用突起部を設けてなり、また前記打突用突起部が、突起部にゴム製キャップを被覆した構造としたものである。
【００１３】
従って、上記器具で被制圧者を制圧しようとした際に、打突用突起部で打突することで被制圧者の抵抗力を弱めることができ、また被制圧者が器具から逃れようとして身体を捻った場合に、被制圧者の衣服がゴム製キャップに絡んで、被制圧者が器具による制圧から逃れるのを阻止する。
【００１４】
また本考案に係る制圧具（請求項４）は、棒状本体部の先部を除く範囲に、滑り止め塗装を施してなるもので、被制圧者が握持出来る範囲では滑り易い状態とし、使用者が握持する範囲には滑り止めを施すことで、被制圧者の確保を容易にする。
【００１５】
また本考案に係る制圧具（請求項５）は、棒状本体部の基端内に、適宜長さの捕縛用紐を取り出し可能に収納してなるもので、被制圧者の器具による制圧時に、直ぐ捕縛も可能としたものである。
【００１６】
また本考案に係る制圧具（請求項６）は、棒状本体部及び取り抑え部をマグネシウム合金で形成してなるもので、ステンレスパイプやアルミパイプを採用し他の従前器具に比較して格段に軽量となって、操作しやすくなるものである。
【考案の効果】
【００１７】
本発明の構成は上記の通りであり、棒状本体部を楕円断面形状としてなることで（請求項１）、緊急時の正確な器具の握持を実現し、同時に捻れ方向に対する強い抵抗力での握持を可能としたものである。
【００１８】
また特に打突用突起部を設けること（請求項２，３）や、所定範囲に滑り止め塗装を施すこと（請求項４）、並びに捕縛用紐を設けること（請求項５）等で制圧効果が高められ、器具をマグネシウム合金で形成すること（請求項６）で、器具操作性を高めたものである。
【考案を実施するための最良の形態】
【００１９】
次に本考案の実施の形態について説明する。実施形態に示した制圧具は、基本的な構成は従前の制圧具と同様に、棒状本体部１と、棒状本体部１の先端左右に突出させて設けた半円状の取り抑え部２とで構成される。
【００２０】
前記の棒状本体部１及び取り抑え部２は、マグネシウム合金で形成した縦長の楕円パイプで形成したもので、楕円パイプは、数学的に定義される楕円ではなく、上下面が弧状面で、縦幅が横幅より長ければ良いものであり、また取り抑え部２は楕円パイプに限定されるものではなく、円形断面のパイプであっても良い。
【００２１】
棒状本体部１は、全長が１８０〜２００ｃｍ程度の長さで、楕円断面の大きさは、縦幅３２ｍｍ前後で横幅が２２ｍｍ程度が好ましい。またその表面の内、先部から全長の２０〜３０％を除く範囲に、滑り止め塗装１１を施してなる。
【００２２】
また棒状本体部１の延長位置となる取り抑え部２の内周側に、打突用突起部３を設けたもので、この打突用突起部３は、棒状本体部１の延長としたり、或いは取り抑え部２の内周面に独自（棒状本体部の延長位置より僅かに外れても良いし、複数設けても良い）に溶接して形成した突起部３１と、突起部３１を被覆するゴム製キャップ３２とで構成したものである。
【００２３】
更に棒状本体部１の基端においては、内部に適宜長さの捕縛用紐４を取り出し可能に収納すると共に、捕縛用紐４が簡単に抜け出ないようにキャップ５を装着してなるものである。
【００２４】
而して前記制圧具は、マグネシウム合金を採用したことによって、必要とする大きさ及び強度を備えた器具全体で５００〜６００ｇ程度の軽量化が実現し、従前の制圧具と同様に使用できると共に、特に棒状本体部１を楕円断面としたので、無意識的に縦長部分が上下方向となるように握持するので、緊急時の精神的プレッシャーが加わった状態でも自然に器具を正しく握持し、使用に供されるものである。
【００２５】
また使用時に、被制圧者に対して身体を抑え込むように取り抑え部を押し付ける際に、打突用突起部３で打突を加えることができ、被制圧者をひるませることが出来ると同時に、取り抑え部２による取り押さえ時に、被制圧者が器具から逃れようとして身体を捻った場合に、被制圧者の衣服がゴム製キャップ３２に絡んで、被制圧者の動きを制止できる。
【００２６】
更に特定範囲に滑り止め処理を施しているので、器具握持に際して手が滑ることなく、器具の使用を確実なものとする。
【００２７】
また捕縛が必要な場合には、キャップ５を外し、捕縛用紐４を取り出し、被制圧者の捕縛を行うことができる。
【図面の簡単な説明】
【００２８】
【図１】本考案の実施形態全体図。
【図２】同棒状本体部の断面図。
【図３】同打突用突起部の説明図。
【図４】同捕縛用紐の収納状態の説明図。
【符号の説明】
【００２９】
１        棒状本体部
１１        滑り止め塗装
２        取り抑え部
３        打突用突起部
３１        突起部
３２        ゴム製キャップ
４        捕縛用紐
５        キャップ
【図１】
0003115168.tif 000003
【図２】
0003115168.tif 000004
【図３】
0003115168.tif 000005
【図４】
0003115168.tif 000006